(57)【要約】本発明は、自動車のロック機構用のラッチ（２）に関する。ラッチ（２）は、ロータ（８）を収容する中間ステータ（６）を収容するステータ（４）を備える。中間ステータ（６）は、コーディング部材（１２）と協働する前側部（１６）と、解放位置とロータ（８）の回転をブロックする位置との間を動くことができる後側部（１８）と、前側部（１６）と後側部（１８）との間に配置された中間部（１７）と、中間部と後側部（１８）との間に配置された第１ヒューズ領域（２０）と、前側部と中間部（１７）との間に配置された第２ヒューズ領域（２１）とを有する。第１ヒューズ領域（２０）は、中間ステータ（６）の第１角度位置（Ｐ０）において破断し、それにより後側部（１８）がロータの移動をブロックする。本発明は、また、対応する装置に関する。【選択図】図１
2018536782.tif 000002
【特許請求の範囲】
【請求項１】
特に自動車のロック機構用のラッチ（２）であって、
主軸に沿って延びかつ中間ステータ（６）を収容するステータ（４）を備え、
上記中間ステータ（６）は、上記主軸回りに回転可能でありかつ制御手段（１０）を可動的に駆動するように構成されたロータ（８）を収容しており、
上記ロータ（８）は、該ロータ（８）を上記中間ステータ（６）に対して回転しないよう保持するコーディング部材（１２）であって、そのコーディングに適合するキー挿入物が上記ロータ（８）の縦ハウジングに導入された場合には、上記中間ステータ（６）に対して上記ロータ（８）を回転可能に解放するコーディング部材（１２）を有し、
上記中間ステータ（６）は、
上記コーディング部材（１２）と協働する前側部（１６）と、
後側部（１８）であって、該後側部（１８）が上記ロータ（８）の回転を可能とする解放位置と、上記後側部が上記ロータ（８）の回転をブロックするブロック位置との間を動くことができる後側部（１８）と、
上記前側部（１６）と上記後側部（１８）との間に配置された中間部（１７）と、
上記中間部と上記後側部（１８）との間に配置された第１ヒューズ領域（２０）と、
上記前側部と上記中間部（１７）との間に配置された第２ヒューズ領域（２１）とを有し、
上記第１ヒューズ領域（２０）は、回転しない状態で上記ロータ（８）のコーディングに適合しない要素（１４）によって上記中間ステータ（６）に作用するトルクが、上記コーディング部材（１２）および上記第２ヒューズ領域（２１）の破断トルクよりも小さい第１所定トルクに到達すると、上記中間ステータ（６）の第１角度位置（Ｐ０）において破断し、
上記第１ヒューズ領域（２０）が破断すると、上記後側部（１８）が、上記ロータ（８）に対する上記ブロック位置に向かって移動するように構成されている
ことを特徴とするラッチ。
【請求項２】
請求項１において、
上記第１ヒューズ領域（２０）が破断すると、上記前側部（１６）および上記中間部（１７）が、上記後側部（１８）に対して上記主軸回りに回転可能となる
ことを特徴とするラッチ。
【請求項３】
請求項１または２において、
上記第２ヒューズ領域（２１）は、上記第１ヒューズ領域（２０）よりも後で、作用トルクが上記第１所定トルクよりも大きい第２所定トルクに到達し、かつ上記中間ステータ（６）が上記第１角度位置（Ｐ０）に角度的に次いで位置する第２角度位置（Ｐ１）を越えて回された場合に破断し、それにより上記前側部（１６）が、上記中間部（１７）に対して上記主軸回りに回転可能となる
ことを特徴とするラッチ。
【請求項４】
請求項３において、
上記ステータ（４）は、少なくとも１つのブロック構造（４５）を有し、
上記中間ステータ（６）の上記中間部（１７）は、上記第２角度位置において上記ブロック構造（４５）と協働することで上記第２角度位置（Ｐ１；Ｐ２）を越えると上記第２ヒューズ領域（２１）が破断するのを可能とする少なくとも１つの突出部（４４）を有する
ことを特徴とするラッチ。
【請求項５】
請求項４において、
上記突出部（４４）は、突起であり、
上記ブロック構造（４５）は、上記突起を保持して上記中間部（１７）の回転をブロックするように構成されたブロック溝である
ことを特徴とするラッチ。
【請求項６】
請求項１〜５のいずれか１項において、
上記ロータ（８）は、該ロータ（８）の前側部（３８）と上記ロータ（８）の後側部（３９）とを区切る第３ヒューズ領域（２３）を有し、
上記中間ステータ（６）の上記後側部（１８）は、上記ロータ（８）の上記後側部（３９）に形成された被係合部（３５）に軸方向に係合可能な少なくとも１つの係合部（３７）を有し、
上記ロータ（８）の上記第３ヒューズ領域は、上記中間ステータ（６）の上記後側部（１８）が上記ロータの上記後側部（３９）に結合され、かつ上記要素（１４）によって上記ロータ（８）に作用するトルクが所定ロータトルクに到達した場合に破断し、それにより上記ロータ（８）の上記前側部（３８）が、上記ロータ（８）の上記後側部（３９）に対して上記主軸回りに回転可能となる
ことを特徴とするラッチ。
【請求項７】
請求項６において、
各上記係合部（３７）は、上記被係合部（３５）を構成する凹部と軸方向に係合することで協働可能なスタッドによって構成されている
ことを特徴とするラッチ。
【請求項８】
請求項１〜７のいずれか１項において、
上記中間ステータ（６）の上記後側部（１８）は、上記第１ヒューズ領域（２０）の破断後に、上記ステータ（４）の内部で、上記後側部（１８）が上記中間ステータ（６）の上記中間部（１７）に固定される初期位置と、上記後側部（１８）が上記破断後に並進移動をブロックされる最終位置との間を、上記ラッチの上記主軸に沿って並進移動するように構成されている
ことを特徴とするラッチ。
【請求項９】
請求項８において、
上記中間ステータ（６）の上記前側部（１６）は、該前側部（１６）および上記中間部（１７）が上記ステータ（４）に対して回転するときに上記後側部（１８）を上記最終位置に向かって軸方向に並進移動させる、上記中間ステータ（６）の上記後側部（１８）に形成された回転しない少なくとも１つの解放部（２２）と噛み合って協働するように構成されている
ことを特徴とするラッチ。
【請求項１０】
請求項１〜９のいずれか１項において、
上記中間ステータ（６）の上記後側部（１８）は、上記制御手段（１０）に形成された被結合部（４２）に軸方向に係合可能な少なくとも１つの結合部（３４）を有する
ことを特徴とするラッチ。
【請求項１１】
請求項１０において、
各上記結合部（３４）は、上記被結合部（４２）を構成するくぼみと軸方向に係合することで協働可能な突起によって構成されている
ことを特徴とするラッチ。
【請求項１２】
特に自動車用のロック装置であって、
請求項１〜１１のいずれか１項に記載のラッチ（２）を少なくとも１つ備える
ことを特徴とするロック装置。
【発明の詳細な説明】
【技術分野】
【０００１】
本発明は、自動車のロック機構用ラッチに関する。
【０００２】
特に、本発明は、固定ステータと、ステータ内に軸回りに回転可能に取り付けられ、コーディング部材を有するロータとを備えた、一種の自動車用ドアラッチの分野に関する。ロータは、ドアロックの制御手段を回転可能に駆動し得る。コーディング部材は、タンブラとも呼ばれ、中間ステータに対してロータを回転しないよう保持するように構成されると共に、ロータの縦ハウジングにコーディングに適合したキーが導入されると中間ステータに対してロータを回転可能に解放するように構成されている。
【背景技術】
【０００３】
自動車のロック機構用ラッチの中でも、特に、分離不能ラッチおよび分離可能ラッチと呼ばれるラッチが知られている。
【０００４】
分離不能ラッチは、強制回転による窃盗行為に対する保護システムとして、ロータにヒューズ領域を有する。よって、ドライバやコーディング部材のコーディングに適合しないキー挿入物がヒューズラインを越えることなくラッチ内に導入されると、破断トルクが生じて、最終的にはラッチがタンブラのせん断変形によりヒューズラインに沿って降伏する。すると、ロータは「自由回転状態」になり、制御手段は駆動されずロック解除機能が働かなくなる。
【０００５】
このタイプの分離不能ラッチの欠点は、ステータのヒューズ領域が、ドライバやコーディングに適合しないキー挿入物が部分的に導入され、かつロータの最終ヒューズ領域を越えない場合にのみ有効であることである。確かに、ドライバまたは誤ったキーがヒューズラインを越えてラッチに導入されると、当該ヒューズラインは機能せず、それ以上は窃盗行為に対する保護が存在しない。そして、ロータが回転可能であり、それにより制御手段が駆動されてラッチのロックを解除する。
【０００６】
また、主軸に沿って延びかつ中間ステータを収容する固定ステータを備えた分離可能ラッチが知られている。中間ステータは、主軸回りに回動可能なロータを収容していて、制御手段を可動的に駆動するように構成されている。また、ロータは、タンブラなどの、中間ステータに対してロータをコーディングするための部材を有する。分離可能ラッチは、また、ドライバやコーディングに適合しないキー挿入物を用いたロータの回転駆動によって生じるステータに対する中間ステータの回転の効果により、ロータと制御手段との結合を分離する分離手段を有する。
【０００７】
分離可能ラッチは、ドライバやコーディングに適合しないキー挿入物による強制回転によってはロックを解除することができない。
【０００８】
従来技術の分離可能ラッチの欠点は、特にロータと制御手段との結合を分離するための手段を形成するために、分離不能ラッチと比べていくらかの追加部品を要することである。このような側面は、ラッチがかなり高価になることを意味する。
【０００９】
別の欠点は、従来技術の分離可能ラッチは、可逆的な分離を呈することである。すなわち、ラッチの中間ステータの前側部を１８０°または３６０°だけ回すことで当該中間ステータを初期状態に戻すことが、強制回転による窃盗行為を試みた後でも可能なのである。このような側面により、強制に対するラッチの安全性が制限される。
【発明の概要】
【発明が解決しようとする課題】
【００１０】
本発明の課題は、廉価である一方で強制回転による窃盗行為に対して堅牢な、従来の分離可能ラッチに対する代案を提示することで上述の欠点を克服することである。
【課題を解決するための手段】
【００１１】
このために、本発明は、特に自動車のロック機構用のラッチであって、主軸に沿って延びかつ中間ステータを収容するステータを備え、上記中間ステータは、上記主軸回りに回転可能でありかつ制御手段を可動的に駆動するように構成されたロータを収容しており、上記ロータは、該ロータを上記中間ステータに対して回転しないよう保持するコーディング部材であって、該コーディング部材のコーディングに適合するキー挿入物が上記ロータの縦ハウジングに導入された場合には、上記中間ステータに対して上記ロータを回転可能に解放するコーディング部材を有し、上記中間ステータは、上記コーディング部材と協働する前側部と、後側部であって、該後側部が上記ロータの回転を可能とする解放位置と、上記後側部が上記ロータの回転をブロックするブロック位置との間を動くことができる後側部と、上記前側部と上記後側部との間に配置された中間部と、上記中間部と上記後側部との間に配置された第１ヒューズ領域と、上記前側部と上記中間部との間に配置された第２ヒューズ領域とを有し、上記第１ヒューズ領域は、回転しない状態で上記ロータのコーディングに適合しない要素によって上記中間ステータに作用するトルクが、上記コーディング部材および上記第２ヒューズ領域の破断トルクよりも小さい第１所定トルクに到達すると、上記中間ステータの第１角度位置において破断し、上記第１ヒューズ領域が破断すると、上記後側部が、上記ロータに対する上記ブロック位置に向かって移動するように構成されていることを特徴とするラッチを提供する。
【００１２】
そのようなロック機構用ラッチは、従来の分離可能ラッチよりも廉価である一方、従来技術の分離可能ラッチと比べて強制回転による窃盗行為に対する同等の堅牢性を実現するという利点を有する。
【００１３】
また、中間ステータの第２ヒューズ領域は、破断して中間ステータの中間部と前側部とを分離させ、そしてステータの前側部を、中間ステータの当該部分の噛合いを元に戻すことができないように「自由回転状態」で回転可能にするように構成されている。このような側面により、こじ開けに対するラッチの安全性が著しく高まる。
【００１４】
好ましい実施形態によると、本発明に係る自動車ラッチは、１つまたはそれ以上の次の特徴を、別個にまたは組み合わせて備える。
【００１５】
すなわち、上記第１ヒューズ領域が破断すると、上記前側部および上記中間部が、上記後側部に対して上記主軸回りに回転可能となり、および／または、
上記第２ヒューズ領域は、上記第１ヒューズ領域よりも後で、作用トルクが上記第１所定トルクよりも大きい第２所定トルクに到達し、かつ上記中間ステータが上記第１角度位置に角度的に次いで位置する第２角度位置を越えて回された場合に破断し、それにより上記前側部が、上記中間部に対して上記主軸回りに回転可能となり、および／または、
上記ステータは、少なくとも１つのブロック構造を有し、上記中間ステータの上記中間部は、上記第２角度位置において上記ブロック構造と協働することで上記第２角度位置を越えると上記第２ヒューズ領域が破断するのを可能とする少なくとも１つの突出部を有し、および／または、
上記突出部は、突起であり、上記ブロック構造は、上記突起を保持して上記中間部の回転をブロックするように構成されたブロック溝であり、および／または、
上記ロータは、該ロータの前側部と上記ロータの後側部とを区切る第３ヒューズ領域を有し、上記中間ステータの上記後側部は、上記ロータの上記後側部に形成された被係合部に軸方向に係合可能な少なくとも１つの係合部を有し、上記ロータの上記第３ヒューズ領域は、上記中間ステータの上記後側部が上記ロータの上記後側部に結合され、かつ上記要素によって上記ロータに作用するトルクが所定ロータトルクに到達した場合に破断し、それにより上記ロータの上記前側部が、上記ロータの上記後側部に対して上記主軸回りに回転可能となり、および／または、
各上記係合部は、上記被係合部を構成する凹部と軸方向に係合することで協働可能なスタッドによって構成されており、および／または、
上記中間ステータの上記後側部は、上記第１ヒューズ領域の破断後に、上記ステータの内部で、上記後側部が上記中間ステータの上記中間部に固定される初期位置と、上記後側部が上記破断後に並進移動をブロックされる最終位置との間を、上記ラッチの上記主軸に沿って並進移動するように構成されており、および／または、
上記中間ステータの上記前側部は、該前側部および上記中間部が上記ステータに対して回転するときに上記後側部を上記最終位置に向かって軸方向に並進移動させる、上記中間ステータの上記後側部に形成された回転しない少なくとも１つの解放部と噛み合って協働するように構成されており、および／または、
上記中間ステータの上記後側部は、上記制御手段に形成された被結合部に軸方向に係合可能な少なくとも１つの結合部を有し、および／または、
各上記結合部は、上記被結合部を構成するくぼみと軸方向に係合することで協働可能な突起によって構成されている。
【００１６】
本発明は、また、上述したラッチを少なくとも１つ備えた、特に自動車用のロック装置に関する。
【００１７】
本発明の別の特徴および利点は、添付の図面を参照して非限定的な例として与えられる本発明の好ましい実施形態に関する以下の説明を読むことで明らかになるだろう。
【図面の簡単な説明】
【００１８】
【図１】図１は、本発明の変形例に係るラッチの中間ステータの平面図である。
【図２】図２は、本発明の変形例に係るラッチのロータの平面図である。
【図３】図３は、本発明の変形例に係るラッチの斜視図であって、ロータおよびステータが第１角度位置にある。
【図４】図４は、図３と同様の図であるが、ロータおよびステータが第２角度位置にある。
【図５】図５は、図３および図４のラッチの斜視図であって、中間ステータの後側部が除かれている。
【図６】図６は、図３〜図５のラッチの斜視図であって、ロータの後側部が除かれている。
【発明を実施するための形態】
【００１９】
各図に示すように、本発明は、ラッチ２、特に自動車のロック機構用ラッチに関する。
【００２０】
ラッチは、主軸に沿って延びかつ中間ステータ６を収容するステータ４を備える。中間ステータ６は、主軸回りに回動可能なロータ８を収容している。また、ロータ８は、図３および図４に示す制御手段１０を可動的に駆動するように構成されている。
【００２１】
「制御手段」の語は、好ましくは、ロータ８とは別体でこれに固定された部品であって、ロータ８によって回転可能に駆動されることによってラッチに対応するロック部をロックしまたはロック解除するように構成された部品を意味する。特に、制御手段１０は、ジンバルまたは駆動端板によって構成されていてもよい。
【００２２】
ロータ８は、中間ステータ６に対してロータ８を回転しないように保持するように構成された、タンブラなどのコーディング部材１２を有する。コーディング部材１２は、コーディングに適合したキー挿入物がロータ８の縦ハウジングに導入されると、中間ステータ６に対してロータを回転可能に解放するように構成されている。
【００２３】
ラッチは、キー挿入物に駆動されて自動車のドアロックをロック解除したりロックしたりしてもよい。
【００２４】
本発明によると、中間ステータ６は、前側部１６と、後側部１８と、前側部１６および後側部１８の間に配置された中間部１７と、中間部および後側部１８の間に配置された第１ヒューズ領域２０と、前側部１６および中間部１７の間に配置された第２ヒューズ領域２１とを有する。
【００２５】
ここで、ラッチの向きは、キー挿入物が挿入される部分に対応する「前」側と、ラッチの主軸に関して前側の反対に位置する「後」側とによって規定される。
【００２６】
中間ステータ６の前側部１６は、コーディング部材１２と協働する。特に、ロータ８から外方へ突出するコーディング部材１２は、ロータ８と中間ステータ６とを互いに固定するべく中間ステータ６の１つまたは複数の対応するハウジングに挿入される。
【００２７】
中間ステータの後側部１８は、当該後側部１８がロータ８の回転を可能とする解放位置と、当該後側部１８がロータ８の回転をブロックするブロック位置との間を動くことができる。
【００２８】
本発明のある態様によると、上記第１ヒューズ領域２０は、回転しない状態でロータ８のコーディングに適合しない要素１４によって中間ステータ６に作用するトルクが、コーディング部材１２および第２ヒューズ領域２１の破断トルクよりも小さい第１所定トルクに到達すると、中間ステータ６の第１角度位置Ｐ０において破断するように構成されている。
【００２９】
換言すれば、ロータ８のコーディングと異なるコーディングを有するドライバやキーといった要素１４がラッチをこじ開けようとロータ８に挿入され、かつ中間ステータに作用するトルクが第１所定トルクに到達すると、第１ヒューズ領域２０は、中間ステータ６が第１角度位置Ｐ０を越えてすぐに破断する。
【００３０】
概して、コーディング部材の破断トルクは、２５〜３０Ｎｍである。第１ヒューズ領域の破断のための第１所定トルクは、１０〜１５Ｎｍであってもよい。
【００３１】
さらに、ラッチは、第１ヒューズ領域２０が破断すると、後側部１８がロータ８に対するブロック位置に向かって移動するように構成されている。
【００３２】
そのようなロック機構用ラッチは、従来の分離可能ラッチよりも廉価である一方、従来技術の分離可能ラッチと比べて強制回転による窃盗行為に対する同等の堅牢性を実現するという利点を有する。
【００３３】
また、中間ステータの第２ヒューズ領域は、破断して中間ステータの中央部と前側部とを分離させ、そしてステータの前側部を、中間ステータの当該部分の噛合いを元に戻すことができないように「自由回転状態」で回転可能にするように構成されている。このような側面により、こじ開けに対するラッチの安全性が著しく高まる。
【００３４】
有利には、本発明に係るラッチは、中間ステータ６に、２つのヒューズ領域であって、堅牢で効率的なシステムの形成を可能にする一方、中間ステータの当該２つのヒューズ領域を用いることによるコストを制限する２つのヒューズ領域を備える。ここで、特に、中間ステータを解放するため、およびロータと制御手段とを連結するための追加的な部品は不要である。
【００３５】
ある変形例によると、第１ヒューズ領域２０が破断した場合、前側部１６および中間部１７は、後側部１８に対して主軸回りに回転可能である。
【００３６】
特に、ブロック位置にある後側部１８がロータ８に対して固定された状態になり、前側部１６および中間部１７が後側部１８に対して自由に回転可能となる。また、前側部１６は、コーディング部材１２によってロータ８に固定保持され、中間部は、第２ヒューズ領域２１によって前側部に固定保持される。
【００３７】
ある変形例によると、第２ヒューズ領域２１は、第１ヒューズ領域２０よりも後で、作用トルクが第１所定トルクよりも大きな第２所定トルクに到達しかつ中間ステータ６が第１角度位置Ｐ０に角度的に次いで位置する第２角度位置Ｐ１を越えて回された場合に破断するように構成されており、それにより前側部１６が中間部１７に対して主軸回りに回転可能になる。
【００３８】
第２ヒューズ領域の破断のための第２所定トルクは、２０〜２５Ｎｍであってもよい。
【００３９】
換言すれば、上記要素１４がラッチをこじ開けるべくロータ８内へさらに動かされ、かつ中間ステータに作用するトルクが第２所定トルクに到達すると、第２ヒューズ領域２１は、中間ステータ６が第２角度位置Ｐ１を越えてすぐに破断する。
【００４０】
特に、前側部１６は、その後、中間部１７に対して自由に回転可能になる。また、前側部１６は、コーディング部材１２によってロータ８に固定保持される。
【００４１】
有利には、好ましい変形例において、いったん破断すると、中間ステータ６の第２ヒューズ領域２１は、中間ステータの中間部と前側部とを分離させ、そしてステータの前側部を、中間ステータの当該部分の噛合いを元に戻すことができないように「自由回転状態」で回転可能にするように構成されている。このような側面により、こじ開けに対するラッチの安全性が著しく高まる。
【００４２】
図５に示すように、ある変形例によると、ステータ４は、少なくとも１つのブロック構造４５を有しており、中間ステータ６の中間部１７は、上記第２角度位置Ｐ１でブロック構造４５と協働することで当該第２角度位置Ｐ１を越えると上記第２ヒューズ領域２１が破断するのを可能とする少なくとも１つの突出部４４を有する。
【００４３】
有利には、そのようなブロック構造４５およびそのような突出部４４は、第２ヒューズ領域２１を破断するために中間ステータ６の中間部１７をブロックするためのシンプルな手段の使用を可能とする。
【００４４】
ある変形例によると、突出部４４は、突起であって、上記ブロック構造４５は、当該突起を保持して中間部１７の回転をブロックするように構成されたブロック溝である。
【００４５】
ある変形例によると、ロータ８は、当該ロータ８の前側部３８と当該ロータ８の後側部３９とを区切る第３ヒューズ領域２３を有しており、中間ステータ６の後側部１８は、ロータ８の後側部３９に形成された被係合部３５に軸方向に係合可能な少なくとも１つの係合部３７を有する。
【００４６】
この変形例によると、ロータ８の第３ヒューズ領域２３は、一方では中間ステータ６の後側部１８がロータの後側部３９に結合した場合に、かつ他方では要素１４によってロータ８に作用するトルクが所定ロータトルクに到達した場合に、破断するように構成されている。第３ヒューズ領域２３が破断した後、ロータ８の前側部３８は、ロータ８の後側部３９に対して主軸回りに回転可能となる。
【００４７】
ロータ８の第３ヒューズ領域２３の破断のための所定ロータトルクは、１０〜１５Ｎｍであってもよい。
【００４８】
特に、ロータ８の第３ヒューズ領域２３は、ロータ８の前側部３８に固定された中間ステータ６の前側部１６が第３角度位置Ｐ２に位置すると破断するように構成されている。よって、ロータの前側部３８は、３つの角度位置Ｐ０，Ｐ１，Ｐ２において動作可能である。
【００４９】
図４に示す変形例では、第２角度位置Ｐ１は、第１角度位置Ｐ０と第３角度位置Ｐ２との間に位置している。
【００５０】
なお、第３角度位置Ｐ２が第１角度位置Ｐ０と第２角度位置Ｐ１との間に位置する変形例（図示せず）も実現可能である。また、第２角度位置Ｐ１と第３角度位置Ｐ２とが実質的に一致する変形例（図示せず）も実現可能である。
【００５１】
好ましくは、図５および図６に示すように、係合部３７および被係合部３５は、中間ステータ６の後側部１８とロータ８、特にロータ８の後側部３９との間の角度クリアランスを実現するように構成されている。このような構成によると、ロータ８の後側部の第３角度位置Ｐ２を有すると共に、第２角度位置Ｐ１が第１角度位置Ｐ０と第３角度位置Ｐ２との間に位置する構造を実現することができる。
【００５２】
ある変形例によると、各係合部３７は、被係合部３５を構成する凹部と軸方向に係合することで協働可能なスタッドによって構成されている。
【００５３】
あるいは、各被係合部が、係合部を形成する凹部と軸方向に係合することで協働可能なスタッドによって構成された逆の構成（図示せず）も実現可能である。
【００５４】
ある変形例によると、中間ステータ６の後側部１８は、第１ヒューズ領域２０の破断後にステータ４の内部をラッチの主軸に沿って並進移動するように構成されている。特に、後側部１８は、当該後側部１８が中間ステータ６の中間部１７に固定される初期位置と、当該後側部１８が当該破断後に並進移動をブロックされる最終位置との間を並進移動可能である。協働形状システム、例えばピンおよびくぼみを、中間ステータ６の後側部１８とステータ４との間に設けることも可能である。
【００５５】
有利には、この構成によると、ロータ８、特にロータ８の後側部３９の回転ブロックを強化することができる。
【００５６】
ある変形例によると、中間ステータ６の前側部１６は、前側部１６および中間部１７がステータ４に対して回転するときに後側部１８を最終位置に向かって軸方向に並進移動させる、中間ステータ６の後側部１８に形成された回転しない少なくとも１つの解放部２２と噛み合って協働するように構成されている。
【００５７】
好ましくは、解放部２２は、後側部１８が中間部１７に対して軸方向に移動するのを可能とする。
【００５８】
有利には、解放部２２は、中間部および後側部を軸方向に移動させるためのシンプルかつ効果的な手段である。
【００５９】
ある変形例によると、中間ステータ６の後側部１８は、制御手段１０に形成された被結合部４２に軸方向に係合可能な少なくとも１つの結合部３４を有する。
【００６０】
有利には、この変形例の後側部１８は、制御手段１０とロータ８、特にロータ８の後側部３９との両方を回転させないようにできる。
【００６１】
ある変形例によると、各結合部３４は、被結合部４２を構成するくぼみと軸方向に係合することで協働可能な突起によって構成されている。
【００６２】
それに代えてまたは加えて、結合部３４は、ステータ４と中間ステータ６の後側部１８との間の協働のための、上で述べた協働形状システムの一部であってもよい。この協働により、当該後側部１８の並進移動が可能となり、また当該後側部の回転運動がブロックされる。
【００６３】
本発明は、また、上述したラッチ２を少なくとも１つ備える、特に自動車用のロック装置に関する。
【００６４】
ここまでの説明は、互いに別体であるロータおよび制御手段についてなされている。もちろん、これら２つの部品が一体部品を構成していてもよい。
【図１】
2018536782.tif 000003
【図２】
2018536782.tif 000004
【図３】
2018536782.tif 000005
【図４】
2018536782.tif 000006
【図５】
2018536782.tif 000007
【図６】
2018536782.tif 000008
【国際調査報告】
2018536782.tif 000009
2018536782.tif 000010
2018536782.tif 000011
2018536782.tif 000012
2018536782.tif 000013
2018536782.tif 000014